(57)【要約】【課題】色再現範囲における任意の一部の色領域について，色ズレの解消や好みの色への色補正のための色調整を簡易に行うことができること。【解決手段】映像処理回路２が，前記輝度，彩度及び色相各々の指定範囲により定まる指定色領域の内側の色を表す前記入力映像信号の信号値について，当該信号値の表す色が前記指定色領域における中心位置又はその中心位置を中心として所定範囲を占める位置であるコア部の色である場合に，その色の輝度，彩度及び色相各々を前記基準補正係数に応じた補正量だけ補正し，その他の場合に，当該信号値の表す色の色空間における位置が前記指定色領域の境界位置に近いほど小さくなる補正量だけ当該信号値の色の輝度，彩度及び色相各々を補正する。【選択図】図１
2010079285.tif 000002
【特許請求の範囲】
【請求項１】
入力映像信号の信号値を補正し，補正後の映像信号に基づく映像をディスプレイにより表示する映像表示装置であって，
輝度，彩度及び色相各々の指定範囲を設定する指定色領域設定手段と，
輝度，彩度及び色相各々の基準補正係数を設定する基準補正係数設定手段と，
前記輝度，彩度及び色相各々の指定範囲により定まる指定色領域の内側の色を表す前記入力映像信号の信号値について，当該信号値の表す色が前記指定色領域における中心位置又は該中心位置を中心として所定範囲を占める位置であるコア部の色である場合にその色の輝度，彩度及び色相各々を前記基準補正係数に応じた補正量だけ補正し，その他の場合に当該信号値の表す色の色空間における位置が前記指定色領域の境界位置に近いほど小さくなる補正量だけ当該信号値の色の輝度，彩度及び色相各々を補正する信号補正手段と，
を具備してなることを特徴とする映像表示装置。
【請求項２】
前記指定色領域設定手段が，操作入力に従って前記指定色領域における輝度，彩度及び色相各々の中心値及び該中心値を基準とする輝度，彩度及び色相各々の幅の指定値を設定することにより，前記輝度，彩度及び色相各々の指定範囲を設定してなる請求項１に記載の映像表示装置。
【請求項３】
前記指定色領域設定手段が，前記輝度，彩度及び色相各々の幅の指定値を，予め定められた複数の値の候補の中から操作入力に従って選択することによって設定してなる請求項２に記載の映像表示装置。
【請求項４】
前記コア部が，前記指定色領域における中心位置を中心として前記指定色領域に対する予め設定された割合の範囲を占める部分である請求項１〜３のいずれかに記載の映像表示装置。
【請求項５】
前記指定色領域における中心位置を前記コア部とするか，又は前記指定色領域における中心位置を中心として前記指定色領域に対する予め設定された割合の範囲を占める部分を前記コア部とするか，を操作入力に従って選択するコア部選択手段を具備してなる１〜４のいずれかに記載の映像表示装置。
【請求項６】
前記信号補正手段が，前記指定色領域の内側に補正される前記入力映像信号の信号値が前記色空間における彩度の値が負となる領域を含む際に，前記中心位置又は前記コア部を含む彩度の値が零以上の領域の範囲内に限定して境界位置に近いほど小さくなる彩度の前記補正量を算出する請求項１〜５のいずれかに記載の映像表示装置。
【請求項７】
輝度，彩度及び色相各々の境界位置に近いほど小さくなる前記補正量を
輝度，彩度及び色相各々の前記基準補正係数と同じ値または所定の第１の値に設定する重み補正係数設定手段をさらに具備してなる請求項１〜６のいずれかに記載の映像表示装置。
【請求項８】
前記信号補正手段が，前記指定色領域の内側に前記入力映像信号の信号値を補正する基準となる前記色空間における原点の位置を含む際に，前記原点を表す値に所定の第２の値を加えた後に当該信号の色の輝度，彩度及び色相の各々を補正し，且つ，補正された後に当該信号を表す値から前記所定の第２の値を引く請求項１〜７のいずれかに記載の映像表示装置。
【請求項９】
前記原点が，前記入力映像信号の信号値に含まれる彩度及び色相を表す値が０である請求項８に記載の映像表示装置。
【請求項１０】
前記入力映像信号がｓＲＧＢ規格に準拠した映像信号であり，
前記ディスプレイが，ｓＲＧＢ規格に準拠した映像信号が入力された場合に，ｓＲＧＢ規格の色再現範囲よりも広い色再現範囲を呈する広色域ディスプレイである請求項１〜９のいずれかに記載の映像表示装置。
【請求項１１】
前記広色域ディスプレイが，ＬＥＤを光源とするバックライトにより照明される液晶パネルである請求項１０に記載の映像表示装置。
【発明の詳細な説明】
【技術分野】
【０００１】
本発明は，入力映像信号の色再現範囲における任意の一部の色範囲内の色を，輝度，彩度及び色相の各々を基準にして補正する映像表示装置に関するものである。
【背景技術】
【０００２】
従来の一般的な映像表示装置は，ＩＥＣ（国際電気標準会議）の国際標準規格であるｓＲＧＢ（standard RGB）規格の色再現範囲（以下，標準色再現範囲という）の色で映像を表示可能なディスプレイ（以下，標準色域ディスプレイという）を備えている。これに対し，昨今の映像表示装置，特に，液晶表示装置は，高画質化が進み，従来よりも色の表現可能範囲が拡大する傾向にある。
例えば，発光色の色純度が高いＬＥＤを光源とするバックライト，及びそのバックライトにより照明される液晶パネル（ディスプレイの一例）を備えた液晶表示装置は，ｓＲＧＢ規格に準拠した映像信号が入力された場合，その映像信号を直接用いて映像表示を行うと，ｓＲＧＢ規格の色再現範囲よりも広い色再現範囲（以下，拡張色再現範囲という）の色で映像が表示される。そのようなディスプレイ（以下，広色域ディスプレイという）は，前記標準色域ディスプレイよりも鮮やかな（彩度の高い）色を表示可能である。
【０００３】
図１０は，ｓＲＧＢ規格に準拠した映像信号に基づく映像表示を行う場合について，前記標準色域ディスプレイにより表示可能な色再現範囲ＣＳ１と前記広色域ディスプレイにより表示可能な色再現範囲ＣＳ２とをｕ’ｖ’色度図上に表した図である。
図１０において，前記標準色域ディスプレイの色再現範囲ＣＳ１における３つの頂点Ｐ1r，Ｐ1g，Ｐ1bの位置は，それぞれ色再現範囲ＣＳ１において最高の彩度の赤色，緑色，青色を表す位置である。同様に，前記広色域ディスプレイの色再現範囲ＣＳ２における３つの頂点Ｐ2r，Ｐ2g，Ｐ2bの位置は，それぞれ色再現範囲ＣＳ２において最高の彩度の赤色，緑色，青色を表す位置である。
図１０に示されるように，前記広色域ディスプレイは，その色再現範囲ＣＳ２が前記標準色域ディスプレイの色再現範囲ＣＳ１よりも広く，より彩度の高い色を表示可能である。
【０００４】
また，図１０には，前記標準色再現範囲ＣＳ１における最低の彩度の無彩色（点Ｐwの位置）から最高の彩度の赤色（点Ｐ1rの位置）に至る等色相の色範囲を表す直線Ｌ1r（赤色の等色相ライン）が太い破線で示されている。同様に，図１０には，前記拡張色再現範囲ＣＳ２における最低の彩度の無彩色（点Ｐwの位置）から最高の彩度の赤色（点Ｐ2rの位置）に至る等色相の色範囲を表す直線Ｌ2r（赤色の等色相ライン）が太い破線で示されている。
さらに，図１０には，Ｒ，Ｇ，Ｂ（赤，緑，青）及びＣ，Ｍ，Ｙ（シアン，マゼンタ，イエロー）の各色について，無彩色から各色（有彩色）に渡って視覚的に同じ色相であると感じる等色相の色範囲を実線Ｌ0r，Ｌ0g，Ｌ0b，Ｌ0c，Ｌ0m，Ｌ0yで示されている。即ち，実線Ｌ0r，Ｌ0g，Ｌ0b，Ｌ0c，Ｌ0m，Ｌ0yは，それぞれ赤色，緑色，青色，シアン，マゼンタ，イエローの各色の等色相ラインを表す。図１０に示される各色の視覚上の等色相ラインＬ0r，Ｌ0g，Ｌ0b，Ｌ0c，Ｌ0m，Ｌ0yについては，非特許文献１に示されている。
【０００５】
ここで，赤色の色相について着目する。
図１０に示されるように，赤色の視覚上の等色相ラインＬ0rは，黄色の色相の側が凸となる方向にやや湾曲した形状となっている。
そして，前記標準色再現範囲ＣＳ１における赤色の等色相ラインＬ1rは，直線状ではあるものの，赤色の視覚上の等色相ラインＬ0rとよく近似している。そのため，前記標準色域ディスプレイにより，ｓＲＧＢ規格に準拠した映像信号に基づく映像表示が行われると，赤色系の映像は，無彩色（点Ｐwの位置）から最高の彩度の色（点Ｐ1rの位置）までほぼ同一の色相の色で再現された映像となる。但し，前記標準色域ディスプレイは，その色再現範囲ＣＳ１が狭いため，彩度の高い赤色を表示する場合の鮮やかさが不足する。
また，前記標準色再現範囲ＣＳ１における赤色の等色相ラインＬ1rは，最高の彩度の赤色（位置Ｐ2r）が，彩度の高い視覚上の赤色に良く近似する。
そのため，前記広色域ディスプレイにより，ｓＲＧＢ規格に準拠した映像信号に基づく映像表示が行われると，非常に彩度の高い赤色については，映像信号が表す本来の色が非常に鮮やかに再現された映像となる。
【先行技術文献】
【特許文献】
【０００６】
【特許文献１】特開平８−１３０６５５号公報
【非特許文献１】G. Wyszecki, and W. S. Stiles，Color Science: Concepts and Methods, Quantitative Data and Formulae (2nd ed.)，pp.447，John Wiley & Sons，New York，2000
【発明の概要】
【発明が解決しようとする課題】
【０００７】
しかしながら，前記広色域ディスプレイにより，一般的なテレビジョン放送で採用されているｓＲＧＢ規格に準拠した映像信号に基づく映像表示が行われると，特に，中間的な彩度の一部の色領域について，映像信号が表す本来の色と異なる色の映像が表示される色ズレの問題が生じる。  例えば，図１０に示した赤色の色相に関し，前記標準色再現範囲ＣＳ１における赤色の等色相ラインＬ1rは，直線状であるため，中間的な彩度の部分については，赤色の視覚上の等色相ラインＬ0rに対する差が大きい。そのため，前記広色域ディスプレイにより，ｓＲＧＢ規格に準拠した映像信号に基づく映像表示が行われると，中間的な彩度の赤色については，最大の彩度の赤色に対して視覚的な色相が大きくずれてしまい，マゼンタがかった色への色ズレが生じる。特に，中間的な彩度の赤色成分を含む肌色の映像において色ズレが生じると，ユーザ（観者）が，その映像を非常に不自然な映像であると感じてしまうという問題点があった。その他，肌色であるべき色が赤みを帯びて表示されたり，赤色であるべき色がマゼンタ色を帯びて表示されたりするといった色ズレが生じることもある。
そのため，そのような一部の範囲の色についての色ズレを補正したいというニーズがある。
また，従前より，色域拡張がなされない場合であっても，色再現範囲全体における任意の一部の色領域の色を違和感なく好みの色へ変換したいというニーズもあった。
また，特許文献１に示されるように，前記広色域ディスプレイによって前記標準色再現範囲ＣＳ１での映像表示がなされるように，映像信号に対して色域圧縮処理を施すことも考えられる。
しかしながら，映像信号に色域圧縮処理を施すことは，特に色調整の必要のない色領域についても信号値の補正が行われてしまうため好ましくない。例えば，ｓＲＧＢ規格に準拠した映像信号に色域圧縮処理が施された後の映像信号に基づいて，前記広色域ディスプレイによる映像表示が行われると，彩度の高い鮮やかな赤色を表示可能な前記広色域ディスプレイの長所を活かせない。
また，一部の色領域における前記色ズレを解消するため，或いは任意の一部の色領域の色を好みの色へ補正するために色調整（映像信号の信号値の補正）を行う場合，高い自由度で色調整を行うことができるとともに，その色調整用のパラメータ設定が簡易であることが望ましい。
従って，本発明は上記事情に鑑みてなされたものであり，その目的とするところは，色再現範囲の中の一部の色領域における色ズレを解消するため，或いは任意の一部の色領域の色を好みの色へ補正するための色調整を可能とし，さらに，そのような色調整のパラメータ設定が簡易な映像表示装置を提供することにある。
【課題を解決するための手段】
【０００８】
上記目的を達成するために，本発明に係る映像表示装置は，入力映像信号の信号値を補正し，補正後の映像信号に基づく映像をディスプレイにより表示するものであり，以下の（１）〜（３）に示される各構成要素を備えている。
（１）輝度，彩度及び色相各々の指定範囲を設定する指定色領域設定手段。
（２）輝度，彩度及び色相各々の基準補正係数を設定する基準補正係数設定手段。
（３）前記輝度，彩度及び色相各々の指定範囲により定まる指定色領域の内側の色を表す前記入力映像信号の信号値について，当該信号値の表す色が前記指定色領域における中心位置又は該中心位置を中心として所定範囲を占める位置であるコア部の色である場合にその色の輝度，彩度及び色相各々を前記基準補正係数に応じた補正量だけ補正し，その他の場合に当該信号値の表す色の色空間における位置が前記指定色領域の境界位置に近いほど小さくなる補正量だけ当該信号値の色の輝度，彩度及び色相各々を補正する信号補正手段。
なお，前記入力映像信号がｓＲＧＢ規格に準拠した映像信号であり，前記ディスプレイが，ｓＲＧＢ規格に準拠した映像信号が入力された場合に，ｓＲＧＢ規格の色再現範囲よりも広い色再現範囲を呈する広色域ディスプレイであることが考えられる。
また，前記広色域ディスプレイの典型例としては，ＬＥＤを光源とするバックライトにより照明される液晶パネルが考えられる。
【０００９】
本発明に係る映像表示装置は，前記入力映像信号の色再現範囲において指定された一部の色領域（前記指定色領域）について，色調整（前記入力映像信号の信号値の補正）を行う。従って，本発明に係る映像表示装置によれば，前記入力映像信号をそのまま用いれば色再現範囲における一部の色領域に色ズレが生じる場合にその色ズレを解消でき，その他の色領域については前記入力映像信号の内容をそのまま活かして映像表示を行うことができる。また，本発明に係る映像表示装置は，色ズレの解消に限らず，任意の一部の色領域の色を好みの色へ補正するための色調整を行う場合にも好適である。
例えば，前記入力映像信号がｓＲＧＢ規格に準拠した映像信号であり，前記ディスプレイが広色域ディスプレイである場合に，彩度の高い３原色（Ｒ，Ｇ，Ｂ）について，鮮やかな彩度の高い３原色を表示可能な前記広色域ディスプレイの長所を活しつつ，中間的な彩度の色（肌色等）の色ズレを解消するすことができる。
また，前記指定色領域の内側の色を表す信号値は，前記指定色領域における前記コア部（中心部）の色の信号値については，設定された前記基準補正係数に応じた補正量だけ補正され，その他の色の信号値については，その色が前記指定色領域の境界位置の色に近いほど小さくなる補正量だけ補正される。そのため，信号値の補正前後において，色の連続性（グラデーション）が確保される。
また，前記指定色領域の中心の一定範囲を占める色領域に対して前記基準補正係数を適用したい場合も考えられ，その場合，前記コア部が，前記指定色領域の中心位置を中心として所定範囲を占める位置であればよい。
また，本発明においては，色調整用パラメータである前記指定色領域及び色の補正係数の指定（設定）は，色を特定する独立した３つのパラメータである輝度，彩度及び色相それぞれについて個別に行われる。そのため，各パラメータの相互干渉を考慮する必要がなく，色調整用パラメータの設定が容易である。
【００１０】
また，例えば，前記指定色領域設定手段が，操作入力に従って前記指定色領域における輝度，彩度及び色相各々の中心値及びその中心値を基準とする輝度，彩度及び色相各々の幅の指定値を設定することにより，前記輝度，彩度及び色相各々の指定範囲を設定することが考えられる。
これにより，ユーザは，色調整（信号値補正）の基準となる前記指定色領域の中心位置と，その中心位置の色についての補正係数（前記基準補正係数）とを直接指定（入力）できる。そのため，設定値（指定値）と色調整の結果との関係を把握しやすい。
また，前記指定色領域設定手段が，前記輝度，彩度及び色相各々の幅の指定値を，予め定められた複数の値の候補の中から操作入力に従って選択することによって設定するものであることが考えられる。
これにより，色調整の自由度が若干犠牲になるものの，色調整用パラメータの設定（指定）がより簡易になる。
【００１１】
また，前記コア部が，前記指定色領域における中心位置を中心として前記指定色領域に対する予め設定された割合の範囲を占める部分であることが考えられる。
これにより，前記コア部の大きさを，前記指定色領域の大きさに連動させたい場合に，前記指定色領域の設定を変更する都度，それに応じて前記コア部の大きさを指定するパラメータについても変更する手間が省け，色調整用パラメータの設定（指定）がより簡易になる。
また，本発明に係る映像表示装置が，さらに次の（４）に示される構成要素を備えることも考えられる。
（４）前記指定色領域における中心位置を前記コア部とするか，又は前記指定色領域における中心位置を中心として前記指定色領域に対する予め設定された割合の範囲を占める部分を前記コア部とするか，を操作入力に従って選択するコア部選択手段。
これにより，色調整用パラメータの設定の手間をあまり増やすことなく，色調整の自由度をより高めることができ好適である。
【００１２】
また，前記信号補正手段が次の（４−１）に示される処理をすることが考えられる。
（４−１）前記信号補正手段が，前記指定色領域の内側に補正される前記入力映像信号の信号値が前記色空間における彩度の値が負となる領域を含む際に，前記中心位置又は前記コア部を含む彩度の値が零以上の領域の範囲内に限定して境界位置に近いほど小さくなる彩度の前記補正量を算出すること。
補正対象となる入力映像信号の信号値に含まれる彩度の成分値が小さい場合に，前記指定色領域設定手段によって指定色領域を設定すると，前記色空間における彩度の成分が負となる領域を含む可能性がある。しかし，実際に補正される入力映像信号の彩度の成分値の下限値は０である。そこで，前記指定色領域設定手段によって設定された指定色領域の内側に前記入力映像信号の信号値に含まれる彩度の成分値の下限値が０以上の領域の範囲内に限定して境界位置に近いほど小さくなる彩度の前記補正量を算出することによって，彩度の成分が負となる領域を含んで算出するよりも正確に境界位置に近いほど小さくなる彩度の前記補正量を算出することができる。
また，本発明に係る映像表示装置が，さらに次の（５）に示される構成要素を備えることも考えられる。
（５）輝度，彩度及び色相各々の境界位置に近いほど小さくなる前記補正量を輝度，彩度及び色相各々の前記基準補正係数と同じ値または所定の第１の値に設定する重み補正係数設定手段。
輝度，彩度及び色相各々の境界位置に近いほど小さくなる前記補正量を算出するためには，多くのメモリ，ＣＰＵ，ＡＳＩＣなどのハードウェア資源を使用したり，算出に時間がかかったりする。そこで，輝度，彩度及び色相各々の境界位置に近いほど小さくなる前記補正量を輝度，彩度及び色相各々の前記基準補正係数と同一または異なる所定の値を補正量に設定して，前記指定色領域内の前記入力映像信号の輝度，彩度及び色相各々に一様の補正をすることができる。そのため，輝度，彩度及び色相各々の境界位置に近いほど小さくなる前記補正量を算出するために使用するハードウェア資源を削減でき，また算出時間も削減できる。
【００１３】
また，前記信号補正手段が次の（４−２）に示される処理をすることが考えられる。
（４−２）前記信号補正手段が，前記指定色領域の内側に前記入力映像信号の信号値を補正する基準となる前記色空間における原点の位置を含む際に，前記原点を表す値に所定の第２の値を加えた後に当該信号の色の輝度，彩度及び色相の各々を補正し，且つ，補正された後に当該信号を表す値から前記所定の第２の値を引くこと。
前記入力映像信号の信号値を補正する際に，補正値を算出するための基準となる前記色空間における原点を定めて，前記原点との関係において前記入力信号の信号値を変更することによって，前記入力映像信号の信号値を補正する。
補正する信号値が前記原点にある場合には，該信号値に所定の値を加えて，該信号値に彩度及び色相の成分の情報を加えることによって，前記入力映像信号の信号値を補正することができる。補正後の前記入力映像信号の信号値から所定の値を引いて，補正をするために嵩上げした情報を取り除く。
これにより，前記入力映像信号の信号値が無彩色であっも前記信号補正手段によって，前記信号値を補正することができる。また，この処理をすることによって，テレビセットのガンマを変更することなく，入力映像信号の白色の色温度を補正することもできる。
また，前記原点が，前記入力映像信号の信号値に含まれる彩度及び色相を表す値が０であることが考えられる。
これにより，入力映像信号の信号値を補正する際に，補正値を算出するための基準となる前記色空間における原点が定めやすくなる。
【発明の効果】
【００１４】
本発明によれば，広色域ディスプレイによってｓＲＧＢ規格に準拠した映像信号に基づく映像表示を行う場合のように，入力映像信号をそのまま用いれば色再現範囲における一部の色領域に色ズレが生じる場合に，簡易な色調整用パラメータの設定によってその色ズレを解消でき，その他の色領域については入力映像信号の内容をそのまま活かして映像表示を行うことができる。また，本発明によれば，色再現範囲全体における任意の一部の色領域の色を違和感なく好みの色へ変換したい場合にも，簡易に色調整を行うことができる。
【図面の簡単な説明】
【００１５】
【図１】本発明の実施形態に係る映像表示装置の一例である液晶表示装置Ｘの概略構成を表すブロック図。
【図２】映像表示装置Ｘにおける色調整画面の一例を表す図。
【図３】液晶表示装置Ｘにおける色調整の対象となる指定色領域及びコア部の第１例をYｃｂｃｒ座標系におけるＹ軸に直交する方向から見た図。
【図４】液晶表示装置Ｘにおける色調整の対象となる指定色領域及びコア部の第１例をYｃｂｃｒ座標系におけるＹ軸方向から見た図。
【図５】液晶表示装置Ｘにおける色調整の対象となる指定色領域及びコア部の第１例を表す斜視図。
【図６】液晶表示装置Ｘにおける色調整の対象となる指定色領域及びコア部の第２例をYｃｂｃｒ座標系におけるＹ軸に直交する方向から見た図。
【図７】液晶表示装置Ｘにおける色調整の対象となる指定色領域及びコア部の第２例をYｃｂｃｒ座標系におけるＹ軸方向から見た図。
【図８】液晶表示装置Ｘにおける色調整の対象となる全指定色領域に色相Ｗｔの重みを１として調整した例をYｃｂｃｒ座標系におけるＹ軸方向から見た図。
【図９】液晶表示装置Ｘにおける色調整基準となるＣｂＣｒ平面の原点をオフセットした例をYｃｂｃｒ座標系におけるＹ軸方向から見た図。
【図１０】ｓＲＧＢ規格に準拠した映像信号に基づく映像表示を行う場合における標準色域ディスプレイの色再現範囲と広色域ディスプレイの色再現範囲とをｕ’ｖ’色度図上に表した図。
【発明を実施するための最良の形態】
【００１６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る映像表示装置の一例である液晶表示装置Ｘの概略構成を表すブロック図，図２は映像表示装置Ｘにおける色調整画面の一例を表す図，図３は液晶表示装置Ｘにおける色調整の対象となる指定色領域及びコア部の第１例をYｃｂｃｒ座標系におけるＹ軸に直交する方向から見た図，図４は液晶表示装置Ｘにおける色調整の対象となる指定色領域及びコア部の第１例をYｃｂｃｒ座標系におけるＹ軸方向から見た図，図５は液晶表示装置Ｘにおける色調整の対象となる指定色領域及びコア部の第１例を表す斜視図，図６は液晶表示装置Ｘにおける色調整の対象となる指定色領域及びコア部の第２例をYｃｂｃｒ座標系におけるＹ軸に直交する方向から見た図，図７は液晶表示装置Ｘにおける色調整の対象となる指定色領域及びコア部の第２例をYｃｂｃｒ座標系におけるＹ軸方向から見た図，図８は液晶表示装置Ｘにおける色調整の対象となる全指定色領域に色相Ｗｔの重みを１として調整した例をYｃｂｃｒ座標系におけるＹ軸方向から見た図，図９は液晶表示装置Ｘにおける色調整基準となるＣｂＣｒ平面の原点をオフセットした例をYｃｂｃｒ座標系におけるＹ軸方向から見た図，図１０はｓＲＧＢ規格に準拠した映像信号に基づく映像表示を行う場合における標準色域ディスプレイの色再現範囲と広色域ディスプレイの色再現範囲とをｕ’ｖ’色度図上に表した図である。
【００１７】
まず，図１に示されるブロック図を参照しつつ，本発明の実施形態に係る映像表示装置の一例である液晶表示装置Ｘの構成について説明する。
図１に示されるように，液晶表示装置Ｘは，映像信号入力部１，映像処理回路２，液晶駆動回路３，液晶パネル４，ＬＥＤ給電回路５，ＬＥＤバックライト６，調光回路７，メイン制御回路８等を備えている。
前記ＬＥＤバックライト６は，ＬＥＤを光源として前記液晶パネル４を照明するバックライトである。前記ＬＥＤは，映像を表示する前記液晶パネル４の背面側に配列され，それぞれ白色ＬＥＤ又はＲＧＢ３色のＬＥＤ（３個のＬＥＤ）からなる光源である。
そして，このＬＥＤバックライト６により照明される前記液晶パネル４は，ｓＲＧＢ規格に準拠した前記入力映像信号が前記映像信号入力部１及び前記映像処理回路２を通じて前記液晶駆動回路３に入力された場合に，ｓＲＧＢ規格の色再現範囲（図１０における前記標準色再現範囲ＣＳ１）よりも広い前記拡張色再現範囲ＣＳ２（図１０参照）における色で映像を表示する広色域ディスプレイの一例である。なお，ＬＥＤ以外を光源とするバックライトが採用されることも考えられる。
【００１８】
前記映像信号入力部１は，映像信号を入力するインターフェースである。以下，この映像信号入力部１を通じて入力される映像信号を入力映像信号と称する。
前記映像処理回路２は，前記入力映像信号に基づく各種の信号処理を実行する回路である。
例えば，前記映像処理回路２は，前記メイン制御回路８からの指令に応じて，前記入力映像信号の信号値の補正を行う。
より具体的には，前記映像処理回路２は，前記メイン制御回路８から後述する"標準モード"で動作する旨の指令を受けた場合に，前記入力映像信号に対する色域圧縮処理を行う。この色域圧縮処理は，例えば特許文献１に示されるように，前記入力映像信号がｓＲＧＢ規格に準拠した映像信号である場合の前記液晶パネル４（広色域ディスプレイ）の表示色が，前記標準色再現範囲ＣＳ１内に収まるように前記入力映像信号の信号値を圧縮補正する処理である。これにより，前記液晶パネル４において，ｓＲＧＢ規格に準拠した前記入力映像信号に基づく映像が，従来の標準色域ディスプレイでの表示色とほぼ同等の色で表示される。なお，前記色域圧縮処理の具体的内容については，ここでは記載を省略する。
また，前記映像処理回路２は，前記メイン制御回路８から後述する"鮮やかモード"で動作する旨の指令を受けた場合に，前記入力映像信号の信号値を補正することにより，前記液晶パネル４による表示色を調整（補正）する色調整処理を実行する。前記色調整処理の詳細については後述する。
【００１９】
また，前記映像処理回路２は，１フレーム分の前記入力映像信号又はその入力映像信号に前記色調整処理を施した後の信号である１フレーム分の表示対象映像信号に基づいて，動画における１コマの画像を構成する各画素の３原色（Ｒ，Ｇ，Ｂ）それぞれの映像輝度（画素階調）を表すフレーム信号を順次生成し，そのフレーム信号を前記液晶駆動回路３に伝送する。
また，前記映像処理回路２は，１フレーム分の前記入力映像信号が入力されるごとに，前記表示対象映像信号における映像輝度（階調レベル）の指標値として，平均輝度レベル（いわゆるＡＰＬ(Average Picture Level)）を算出し，その算出結果を前記調光回路７に伝送する。前記平均輝度レベルは，１フレーム分の前記表示対象映像信号における各画素の３原色（Ｒ，Ｇ，Ｂ）の映像輝度（階調レベル）の加重平均値である。
【００２０】
前記液晶駆動回路３は，前記映像処理回路２から所定周期で順次伝送されてくる前記フレーム信号に基づいて，そのフレーム信号に対応する１フレーム分の映像（１コマの画像）を前記液晶パネル４に順次表示させる回路である。
より具体的には，前記液晶駆動回路３は，液晶表示パネルに設けられた各画素の液晶素子に対し，Ｒ，Ｇ，Ｂ３原色それぞれの階調レベル（輝度レベルといってもよい）に応じた電圧（階調電圧）の階調信号を供給する。これにより，前記液晶パネル４は，前記入力映像信号に基づく映像（動画）を表示する。
【００２１】
前記調光回路７は，前記映像処理回路２により検出（算出）された前記平均輝度レベルに基づいて，前記ＬＥＤバックライト６における各ＬＥＤの輝度を決定する。さらに，前記調光回路７は，決定した輝度に応じて前記ＬＥＤバックライト６における各ＬＥＤに対する供給電力の制御値（例えば，ＰＷＭ制御におけるデューティー比）を決定し，その制御値を前記ＬＥＤ給電回路５に対して設定（出力）する。
前記ＬＥＤ給電回路５は，前記調光回路７により設定された前記制御値に応じた電力を前記ＬＥＤバックライト６における各ＬＥＤに対して供給する。これにより，前記ＬＥＤバックライト６の輝度が，前記調光回路７により決定された輝度に調節される。
なお，前記映像処理回路２や前記調光回路７は，例えばＦＰＧＡやＡＳＩＣ等により具現化されている。
【００２２】
前記ＬＥＤ給電回路５は，前記調光回路７からの制御指令に従って，前記ＬＥＤバックライト６における各ＬＥＤに対する供給電力を調節する回路である。例えば，前記ＬＥＤ給電回路５は，ＰＷＭ制御によって各ＬＥＤに対する供給電力を調節する。或いは，前記ＬＥＤ給電回路５が，ＤＣ電圧のレベル調節によって各ＬＥＤの調光を行うことも考えられる。
【００２３】
前記メイン制御回路８は，演算手段であるＭＰＵ８１及び不揮発性メモリであるＥＥＰＲＯＭ８２等を備え，前記ＭＰＵ８１が不図示のＲＯＭに記憶された制御プログラムを実行することにより，当該液晶表示装置Ｘが備える各構成要素の制御処理を実行するものである。
例えば，前記メイン制御回路８において，前記ＭＰＵ８１は，不図示のリモート操作器を通じた操作入力に従って，映像表示モードの切り替え処理を行う。ここで，前記映像表示モードは，前記映像処理回路２の動作モードである。
より具体的には，前記ＭＰＵ８１は，前記操作入力に従って，２種類の前記映像表示モードである標準モードと鮮やかモードとの切り替え処理を行う。そして，切り替え後の前記映像表示モードで動作する旨の指令が，前記ＭＰＵ８１から前記映像処理回路２に対して出力される。
前記標準モードは，ｓＲＧＢ規格に準拠した前記入力映像信号の入力に対し，前記液晶パネル４（広色域ディスプレイ）の表示色が，図１０に示される前記拡張色再現範囲ＣＳ２から前記標準色再現範囲ＣＳ１へ縮小されるように，前記入力映像信号に対して前記色域圧縮処理を施す動作モードである。
また，前記鮮やかモードは，ｓＲＧＢ規格に準拠した前記入力映像信号の信号値を補正することにより，前記拡張色再現範囲ＣＳ２における一部の指定色領域での色ズレが解消されるように，前記入力映像信号が表す色を調整（補正）する色調整処理を実行する動作モードである。
【００２４】
次に，図２及び図３〜図５を参照しつつ，前記鮮やかモードにおいて実行される前記色調整処理の対象となる色領域について説明する。なお，図２〜図５において，同じ情報（パラメータ）に対して同じ符号が付されている。
前記映像処理回路２は，前記入力映像信号の信号値が，ユーザの操作入力によって設定（指定）される色領域（以下，指定色領域Ａｘという）の内側の色を表す信号値である場合に，その信号値について前記色調整処理（信号値の補正）を行う。
【００２５】
図２は，前記液晶パネル４に表示される色調整画面の一例を表す図である。この色調整画面は，前記色調整処理に用いられる色調整用パラメータの設定及びその色調整用パラメータに基づく前記色調整処理の結果の確認のための画面である。
前記メイン制御回路８における前記ＭＰＵ８１は，不図示のリモート操作器（操作部）を通じた所定の操作入力，例えば，色調整キーの押下操作を検知した場合に，前記映像処理回路２に指令を出力することにより，前記色調整画面を前記液晶パネル４に表示させる。
【００２６】
そして，前記ＭＰＵ８１は，ユーザによる前記リモート操作器の数値キーに対する操作入力に従って，前記色調整用パラメータを設定する。
前記色調整用パラメータには，色調整の対象とする前記指定色領域Ａｘを特定する輝度，彩度及び色相各々の指定範囲に関するパラメータｙc，ｒc，ｔc，ｙw，ｒw，ｔwと，輝度，彩度及び色相各々の調整量の基準となる基準補正係数ｋbri，ｋsat，ｋhyeとが含まれる。即ち，前記ＭＰＵ８１は，輝度，彩度及び色相各々の指定範囲を設定する指定色領域設定手段の一例であるとともに，輝度，彩度及び色相各々の基準補正係数を設定する基準補正係数設定手段の一例でもある。
また，前記輝度，彩度及び色相各々の指定範囲に関するパラメータには，前記指定色領域Ａｘにおける，輝度の中心値ｙc，彩度の中心値ｒc及び色相の中心値ｔcと，それら各中心値を基準とする輝度の幅ｙw，彩度の幅ｒw及び色相の幅ｔwとが含まれている。即ち，前記指定色領域Ａｘは，これらのパラメータｙc，ｒc，ｔc，ｙw，ｒw，ｔwにより特定される前記輝度，彩度及び色相各々の指定範囲により定まる色領域である。
そして，前記ＭＰＵ８１が操作入力に従って設定した前記色調整用パラメータは，前記制御回路８における前記ＥＥＰＲＯＭ８２に記録される。
【００２７】
図３〜図５は，前記指定色領域Ａｘ及びその中心位置Ｐｃであるコア部Ａｙの一例がYｃｂｃｒ座標系により表された図である。
なお，本実施形態では，前記輝度の幅ｙw，前記彩度の幅ｒw及び前記色相の幅ｔwは，前記指定色領域Ａｘにおける輝度，彩度及び色相各々の全幅の二分の一を表すパラメータであるが，前記輝度の幅ｙw，前記彩度の幅ｒw及び前記色相の幅ｔwが前記指定色領域Ａｘにおける輝度，彩度及び色相各々の全幅を表すパラメータである例も考えられる。また，図２〜図５において，ｙs及びｙeは，前記指定色領域Ａxの範囲を規定する輝度の最小値ｙs（＝ｙc−ｙw）及び輝度の最大値ｙe（＝ｙc＋ｙw），ｒs及びｒeは，前記指定色領域Ａxの彩度の範囲を規定する彩度の最小値ｒs（＝ｒc−ｒw）及び最大値ｒe（＝ｒc＋ｒw），ｔs及びｔeは，前記指定色領域Ａｘの彩度の範囲を規定する色相の最小値ｔs（＝ｔc−ｔw）及び最大値ｔe（＝ｔc＋ｒw）である。
なお，これらのパラメータｙs，ｒs，ｔs，ｙe，ｒe，ｔeが，前記指定色領域Ａｘを特定する前記輝度，彩度及び色相各々の指定範囲のパラメータとして設定されることも考えられる。
【００２８】
次に，前記鮮やかモードにおいて実行される前記色調整処理の具体例について説明する。なお，前記入力映像信号のＹ値（輝度値），Ｃｂ値（青の差分信号値）及びＣｒ値（赤の差分信号値）を，それぞれＹin，Ｃｂin，Ｃｒinとする。
まず，前記映像処理回路２は，前記入力映像信号のＣｂ値及びＣｒ値（Ｃｂin，Ｃｒin）に基づいて，前記入力映像信号のＣｂ−Ｃｒ平面における彩度及び色相を特定する極座標（ｒin，ｔin）を算出する。この極座標（ｒin，ｔin）は，周知のＣｏｒｄｉｃ（Cordinate Rotation Computer）アルゴリズムに基づき算出することができる。
次に，前記映像処理回路２は，次の（Ａ１）式に基づいて，前記入力映像信号の色（Ｙin，ｒin，ｔin）の前記コア部Ａyの色に対する偏差（Δｙin，Δｒin，Δｔin）を算出する。なお，以下の（Ａ１）式〜（Ａ３）式は，前記コア部Ａyが，前記指定色領域Ａｘの中心位置Ｐｃである場合の式である。
【数１】
2010079285.tif 000003
また，前記映像処理回路２は，次の（Ａ２）式に基づいて，色調整の重み係数Ｗyrtを算出する。
【数２】
2010079285.tif 000004
なお，彩度成分の重み係数を算出する際に，前記指定色領域Ａｘの彩度の幅の指定値ｒｗが前記指定色領域Ａｘの中心位置Ｐｃの彩度の極座標値ｒｃよりも大きい場合には，彩度の偏差Δｒｉｎを彩度の幅の指定値ｒｗではなく彩度の中心位置の極座標値ｒｃで割る。これは，図３の指定色領域Ａｘ’に示すように，指定色領域の内側に彩度の値が負となる領域を含む際に，彩度成分の重み係数を算出する範囲を前記彩度中心位置の極座標値ｒｃを含む零以上の範囲に限定するためである。これによって，彩度の成分が負となる領域を含んで算出するよりも正確に彩度成分の重み係数を算出することができる。
そして，前記映像処理回路２は，次の（Ａ３）式に基づいて，前記入力映像信号に対する前記色調整処理後のＹ値，Ｃｂ値及びＣｒ値である（Ｙout，Ｃｂout，Ｃｒout）を算出する。
【数３】
2010079285.tif 000005
【００２９】
なお，以上に示した（Ａ１）式〜（Ａ３）式を統合した式が，次の（Ａ０）式である。
【数４】
2010079285.tif 000006
【００３０】
前記映像処理回路２（信号補正手段の一例）が，以上に示した（Ａ１）式〜（Ａ３）式に基づく色調整処理を行えば，前記指定色領域Ａｘの内側の色を表す前記入力映像信号の信号値が，以下のように補正される。
即ち，前記入力映像信号の信号値の表す色が前記指定色領域Ａｘにおける前記コア部Ａｙ（ここでは，中心位置Ｐｃ）の色である場合，前記色補正の重み係数Ｗyrt＝１となり，当該色の輝度Ｙin，彩度ｒin及び色相ｔin各々が，前記基準補正係数（ｋbri，ｋsat，ｋhue）に応じた補正量だけ補正される。この場合の輝度，彩度及び色相各々の補正量（加算量）は，前記入力映像信号の輝度Ｙin，彩度ｒin，色相ｔinに対して前記基準補正係数ｋbri，ｋsat，ｋhueを乗算して得られる値である。
また，前記入力映像信号の信号値の表す色が前記指定色領域Ａｘにおける前記コア部Ａｙの色以外である場合（その他の場合），前記入力映像信号の信号値の表す色の色空間における位置が前記指定色領域Ａｘの境界位置に近いほど（前記コア部Ａｙから離れるほど），前記色補正の重み係数Ｗyrtがより０に近づく。その結果，前記入力映像信号の信号値の色の位置が前記指定色領域Ａｘの境界位置に近いほどより小さくなる補正量だけ，当該信号値の色の輝度Ｙin，彩度ｒin及び色相ｔin各々が補正される。なお，前記指定色領域Ａｘの境界位置の色の信号値については補正量が０（ゼロ）となる。そのため，信号値の補正前後において，色の連続性（グラデーション）が確保される。
【００３１】
図２に示される例は，色調整画面に，設定された前記色調整用パラメータに基づく前記色調整処理が行われたときの前記指定色領域Ａｘにおける表示色の分布図ｇ１，ｇ２が含まれている例である。このような表示色の分布図ｇ１，ｇ２が前記液晶パネル４に表示されることにより，ユーザが，前記色調整用パラメータの設定値が，実際の色補正としてどのように反映されるかを一見して把握でき好適である。
【００３２】
なお，前記色調整処理の変形例として，上記（Ａ２）式の代わりに，次の（Ａ４）式を用いて色補正の重み係数Ｗｙｒｔを算出してもよい。
【数５】
2010079285.tif 000007
輝度，彩度及び色相各々の成分毎に色補正の重み係数を設定して，色補正値の重み係数Ｗｙｒｔを算出する。前記指定色領域Ａｘ毎もしくは全範囲の前記指定色領域Ａｘにおいて，輝度，彩度及び色相各々の成分毎に重み係数を算出せず，１もしくは所定の値に設定することによって，前記色補正値の重み係数Ｗｙｒｔを算出する際の演算量を減らし，演算に必要なハードウェア資源を削減したり，演算時間を短くすることができる。
なお，輝度，彩度及び色相各々の成分毎に色補正の重み係数に設定される所定の第１の値が１未満（例えば０．５）の場合には，前記基準補正係数よりも小さい値によって，前記入力映像信号の輝度，彩度及び色相各々の成分が補正される。前記所定の第１の値が１より大きい（例えば１．５）場合には，前記基準補正係数よりも大きい値によって，前記入力映像信号の輝度，彩度及び色相各々の成分が補正される。
例えば図８に示すように，全ての色相に対して，Ｗｔ＝１として前記入力映像信号を補正すると，色相に対して一様に補正係数がかかり，彩度の最小値ｒｓ及び最大値ｒｅによって囲まれるドーナツ状の範囲が一様に補正される。なお，上記例では色相Ｗｔ＝１とすることによって，色補正値の重み係数Ｗｙｒｔを算出する際に，色相の成分の重み係数が影響しないようにしている。上述した０．５，１，１．などは，設定される所定の第１の値の一例である。
【００３３】
また，前記色調整処理の変形例として，なお，上記（Ａ３）のＣｂ’及びＣｒ’を算出する式の代わりに，次の（Ａ５）式を用いてＣｂ’及びＣｒ’を算出してもよい。
【数６】
2010079285.tif 000008
補正する前記入力映像信号の値が補正値を算出するための基準となる前記色空間における原点にあたり，彩度及び色相の成分が零の無彩色の領域を補正する場合，上記（Ａ３）では彩度及び色相の成分を補正することができない。
そこで，前記原点を含む前記入力信号の値を補正する際に，図９に示すように，入力映像信号のＣｂ値及びＣｒ値をオフセットする。オフセット後のＣｂ値及びＣｒ値を使用して補正処理をし，補正後のＣｂ及びＣｒ値からオフセットした値を取り除く。これによって，無彩色の領域を補正することができる。
なお，前記入力映像信号の値が補正値を算出するための基準となる前記色空間における原点の位置を前記入力信号の値に含まれる彩度及び色相の成分が零となる位置と合わせて処理する方が望ましい。
なお，オフセットする所定の値は，所定の第２の値の一例に当たり，処理系によって任意に定めることができ，例えば１，２，−１，−２などでもよい。
【００３４】
ところで，前記指定色領域Ａｘの中心の一定範囲を占める色領域を前記コア部Ａｙとし，そのコア部Ａｙに対して前記基準補正係数（ｋbri，ｋsat，ｋhue）を適用したい場合も考えられる。その場合，前記コア部Ａｙが，前記指定色領域Ａｘの中心位置Ｐｃを中心として所定範囲を占める位置であればよい。
図６及び図７は，前記コア部Ａｙが，前記中心位置Ｐｃを中心として一定範囲を占める場合における前記指定色領域Ａｘ及び前記コア部Ａｙの例（第２例）を表す図である。
この場合，例えば，前記指定色領域Ａｘに対して前記コア部Ａｙの占める割合を特定するパラメータ（以下，コア部割合設定値という）が予め設定され，前記メイン制御回路８における前記ＥＥＰＲＯＭ８２に予め記録されていることが考えられる。この場合，前記コア部Ａｙは，前記指定色領域Ａｘにおける中心位置Ｐｃを中心として，前記指定色領域Ａｘに対する所定の割合（前記コア部割合設定値により定まる割合）の範囲を占める部分である。
また，前記コア部割合設定値は，図２に示される画面及びリモート操作器等を通じて，ユーザによる操作入力に従って設定されることの他，予め固定の値が設定されていること等も考えられる。
前記コア部割合設定値は，例えば，前記指定色領域Ａｘにおける輝度の幅（＝２×ｙw），彩度の幅（＝２×ｒw）及び位相の幅（＝２×ｔw）に対する前記コア部Ａｙの輝度の幅，彩度及び位相の割合を表す値である。なお，図６及び図７は，その割合が概ね２０％であるときの例である。
【００３５】
そして，前記メイン制御回路８における前記ＭＰＵ８１が，前記指定色領域Ａｘのパラメータと前記コア部割合設定値とに基づいて，前記コア部Ａｙの範囲を特定し，その特定結果の情報を前記映像処理回路２に引き渡すことが考えられる。
これにより，前記コア部Ａｙの大きさを，前記指定色領域Ａｘの大きさに連動させたい場合に，前記指定色領域Ａｘの設定を変更する都度，それに応じて前記コア部Ａｙの大きさを指定するパラメータについても変更する手間が省け，色調整用パラメータの設定（指定）がより簡易になる。
【００３６】
以下，前記コア部Ａｙが所定範囲を占める場合に，前記鮮やかモードにおいて実行される前記色調整処理の具体例について説明する。
まず，前記映像処理回路２は，前述したように，前記入力映像信号のＣｂ値及びＣｒ値（Ｃｂin，Ｃｒin）に基づいて，前記入力映像信号のＣｂ−Ｃｒ平面における彩度及び色相を特定する極座標（ｒin，ｔin）を算出する。
次に，前記映像処理回路２は，次の（Ｂ１）式に基づいて，前記入力映像信号の色（Ｙin，ｒin，ｔin）の前記コア部Ａyの色に対する偏差（Δｙin，Δｒin，Δｔin）を算出する。
【数７】
2010079285.tif 000009
また，前記映像処理回路２は，次の（Ｂ２）式に基づいて，色調整の重み係数Ｗyrtを算出する。
【数８】
2010079285.tif 000010
なお，重み係数を算出する際に，（Ｂ２）の彩度成分の重み係数に関する部分
（ｒｃ−ｒｗ×ｋｃｏｒｅ）の値がマイナスになり，彩度成分の比率を他の成分の比率より大きくして重み係数を算出する可能性がある。そこで，彩度成分の重み係数に関する（ｒｃ−ｒｗ×ｋｃｏｒｅ）の値がマイナスになる場合には，
｛Δｒｉｎ／（ｒｃ−ｒｗ×ｋｃｏｒｅ）｝の値を零にする。
そして，前記映像処理回路２は，次の（Ｂ３）式に基づいて，前記入力映像信号に対する前記色調整処理後のＹ値，Ｃｂ値及びＣｒ値である（Ｙout，Ｃｂout，Ｃｒout）を算出する。
【数９】
2010079285.tif 000011
【００３７】
なお，以上に示した（Ｂ１）式〜（Ｂ３）式を統合した式が，次の（Ｂ０）式である。
【数１０】
2010079285.tif 000012
【００３８】
なお，前記色調整処理の変形例として，上記（Ｂ２）式の代わりに，次の（Ｂ４）式を用いて色補正の重み係数Ｗｙｒｔを算出してもよい。
【数１１】
2010079285.tif 000013
【００３９】
また，前記色調整処理の変形例として，なお，上記（Ｂ３）のＣｂ’及びＣｒ’を算出する式の代わりに，次の（Ｂ５）式を用いてＣｂ’及びＣｒ’を算出してもよい。
【数１２】
2010079285.tif 000014
以上に示した（Ｂ１）式〜（Ｂ５）式，或いは（Ｂ０）式に基づく前記色調整処理が行われても，前述した（Ａ１）式〜（Ａ５）式，或いは（Ａ０）式に基づく前記色調整処理が行われた場合と同様の作用効果が得られる。
【００４０】
ところで，以上に示した実施形態では，前記ＭＰＵ８１が，不図示のリモート操作器の数字キーに対する操作入力に応じて，前記輝度，彩度及び色相各々の幅の指定値ｙw，ｒw，ｔwを設定したが，それ以外の設定方法も考えられる。
例えば，前記輝度，彩度及び色相各々の幅の指定値ｙw，ｒw，ｔwの組合せについての複数の候補（以下，指定幅候補データという）が前記ＥＥＰＲＯＭ８２に予め記憶されていることが考えられる。この場合，前記ＭＰＵ８１が，前記輝度，彩度及び色相各々の幅の指定値ｙw，ｒw，ｔwを，複数の前記指定幅候補データの中から，前記リモート操作器における選択キー等に対する操作入力に従って選択することによって設定することが考えられる。複数の前記指定幅候補データは，例えば，３段階（大・中・小）或いは５段階（大・やや大・中・やや小・小）等に区分されて予め設定されている。
これにより，色調整の自由度が若干犠牲になるものの，色調整用パラメータの設定（指定）がより簡易になる。
また，映像表示モードが複数のモード（標準モード，鮮やか表示モード等）の中から切り替えられる映像表示装置において，前記映像表示モードごとに適切な色調整用パラメータの設定値が予めわかっている場合も考えられる。そのような場合，前記ＥＥＰＲＯＭ８２等のメモリに前記映像表示モードごとの前記色調整用パラメータを予め記憶させておき，前記ＭＰＵ８１が，前記映像表示モードに対応した前記色調整用パラメータを自動的に選択して前記映像処理回路２に設定することも考えられる。
【００４１】
また，前記メイン制御回路８の前記ＭＰＵ８１（コア部選択手段の一例）が，前記指定色領域Ａｘにおける中心位置Ｐｃを前記コア部Ａｙとするか，或いは前記指定色領域Ａｘにおける中心位置Ｐｃを中心として前記指定色領域Ａｘに対する予め設定された割合の範囲を占める部分を前記コア部Ａｙとするかを，ユーザによる前記リモート操作器等に対する操作入力に従って選択する（切り替える）ことも考えられる。
これにより，前記色調整用パラメータの設定の手間をあまり増やすことなく，色調整の自由度をより高めることができ好適である。
【産業上の利用可能性】
【００４２】
本発明は，映像表示装置への利用が可能である。
【符号の説明】
【００４３】
Ｘ  ：液晶表示装置
１  ：映像信号入力部
２  ：映像処理回路
３  ：液晶駆動回路
４  ：液晶パネル
５  ：ＬＥＤ給電回路
６  ：ＬＥＤバックライト
７  ：調光回路
８  ：メイン制御回路
８１：ＭＰＵ
８２：ＥＥＰＲＯＭ
Ａｘ：指定色範囲
Ａｙ：コア部
【図１】
2010079285.tif 000015
【図２】
2010079285.tif 000016
【図３】
2010079285.tif 000017
【図４】
2010079285.tif 000018
【図５】
2010079285.tif 000019
【図６】
2010079285.tif 000020
【図７】
2010079285.tif 000021
【図８】
2010079285.tif 000022
【図９】
2010079285.tif 000023
【図１０】
2010079285.tif 000024
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
入力映像信号の信号値を補正し，補正後の映像信号に基づく映像をディスプレイにより表示する映像表示装置であって，
輝度，彩度及び色相各々の指定範囲を設定する指定色領域設定手段と，
輝度，彩度及び色相各々の基準補正係数を設定する基準補正係数設定手段と，
前記輝度，彩度及び色相各々の指定範囲により定まる指定色領域の内側の色を表す前記入力映像信号の信号値について，当該信号値の表す色が前記指定色領域における中心位置又は該中心位置を中心として所定範囲を占める位置であるコア部の色である場合にその色の輝度，彩度及び色相各々を前記基準補正係数に応じた補正量だけ補正し，その他の場合に当該信号値の表す色の色空間における位置が前記指定色領域の境界位置に近いほど小さくなる補正量だけ当該信号値の色の輝度，彩度及び色相各々を補正する信号補正手段と，
を具備してなり，
前記信号補正手段が，前記指定色領域の内側に彩度の値が負となる領域を含む際に，前記中心位置又は前記コア部を含む彩度の値が零以上の領域の範囲内に限定して境界位置に近いほど小さくなる彩度の前記補正量を算出してなることを特徴とする映像表示装置。
【請求項２】
入力映像信号の信号値を補正し，補正後の映像信号に基づく映像をディスプレイにより表示する映像表示装置であって，
輝度，彩度及び色相各々の指定範囲を設定する指定色領域設定手段と，
輝度，彩度及び色相各々の基準補正係数を設定する基準補正係数設定手段と，
前記輝度，彩度及び色相各々の指定範囲により定まる指定色領域の内側の色を表す前記入力映像信号の信号値について，当該信号値の表す色が前記指定色領域における中心位置又は該中心位置を中心として所定範囲を占める位置であるコア部の色である場合にその色の輝度，彩度及び色相各々を前記基準補正係数に応じた補正量だけ補正し，その他の場合に当該信号値の表す色の色空間における位置が前記指定色領域の境界位置に近いほど小さくなる補正量だけ当該信号値の色の輝度，彩度及び色相各々を補正する信号補正手段と，
を具備してなり，
前記信号補正手段が，前記指定色領域の内側に前記入力映像信号の信号値を補正する基準となる前記色空間における原点の位置を含む際に，前記原点を表す値に所定の第２の値を加えた後に当該信号の色の輝度，彩度及び色相の各々を補正し，且つ，補正された後に当該信号を表す値から前記所定の第２の値を引くことを特徴とする映像表示装置。
【請求項３】
前記信号補正手段が，前記指定色領域の内側に前記入力映像信号の信号値を補正する基準となる前記色空間における原点の位置を含む際に，前記原点を表す値に所定の第２の値を加えた後に当該信号の色の輝度，彩度及び色相の各々を補正し，且つ，補正された後に当該信号を表す値から前記所定の第２の値を引くものである請求項１に記載の映像表示装置。
【請求項４】
前記原点が，前記入力映像信号の信号値に含まれる彩度及び色相を表す値が０である請求項２又は３のいずれかに記載の映像表示装置。
【請求項５】
前記指定色領域設定手段が，操作入力に従って前記指定色領域における輝度，彩度及び色相各々の中心値及び該中心値を基準とする輝度，彩度及び色相各々の幅の指定値を設定することにより，前記輝度，彩度及び色相各々の指定範囲を設定してなる請求項１〜４のいずれかに記載の映像表示装置。
【請求項６】
前記指定色領域設定手段が，前記輝度，彩度及び色相各々の幅の指定値を，予め定められた複数の値の候補の中から操作入力に従って選択することによって設定してなる請求項５に記載の映像表示装置。
【請求項７】
前記コア部が，前記指定色領域における中心位置を中心として前記指定色領域に対する予め設定された割合の範囲を占める部分である請求項１〜６のいずれかに記載の映像表示装置。
【請求項８】
前記指定色領域における中心位置を前記コア部とするか，又は前記指定色領域における中心位置を中心として前記指定色領域に対する予め設定された割合の範囲を占める部分を前記コア部とするか，を操作入力に従って選択するコア部選択手段を具備してなる１〜７のいずれかに記載の映像表示装置。
【請求項９】
輝度，彩度及び色相各々の境界位置に近いほど小さくなる前記補正量を
輝度，彩度及び色相各々の前記基準補正係数と同じ値または所定の第１の値に設定する重み補正係数設定手段をさらに具備してなる請求項１〜８のいずれかに記載の映像表示装置。
【請求項１０】
前記入力映像信号がｓＲＧＢ規格に準拠した映像信号であり，
前記ディスプレイが，ｓＲＧＢ規格に準拠した映像信号が入力された場合に，ｓＲＧＢ規格の色再現範囲よりも広い色再現範囲を呈する広色域ディスプレイである請求項１〜９のいずれかに記載の映像表示装置。
【請求項１１】
前記広色域ディスプレイが，ＬＥＤを光源とするバックライトにより照明される液晶パネルである請求項１０に記載の映像表示装置。
【手続補正２】
【補正対象書類名】明細書
【補正対象項目名】０００８
【補正方法】変更
【補正の内容】
【０００８】
上記目的を達成するために，本発明に係る映像表示装置は，入力映像信号の信号値を補正し，補正後の映像信号に基づく映像をディスプレイにより表示するものであり，以下の（１）〜（３）に示される各構成要素を備えている。
（１）輝度，彩度及び色相各々の指定範囲を設定する指定色領域設定手段。
（２）輝度，彩度及び色相各々の基準補正係数を設定する基準補正係数設定手段。
（３）前記輝度，彩度及び色相各々の指定範囲により定まる指定色領域の内側の色を表す前記入力映像信号の信号値について，当該信号値の表す色が前記指定色領域における中心位置又は該中心位置を中心として所定範囲を占める位置であるコア部の色である場合にその色の輝度，彩度及び色相各々を前記基準補正係数に応じた補正量だけ補正し，その他の場合に当該信号値の表す色の色空間における位置が前記指定色領域の境界位置に近いほど小さくなる補正量だけ当該信号値の色の輝度，彩度及び色相各々を補正する信号補正手段。
さらに，前記信号補正手段が次の（４−１）に示される処理をする。
（４−１）前記信号補正手段が，前記指定色領域の内側に彩度の値が負となる領域を含む際に，前記中心位置又は前記コア部を含む彩度の値が零以上の領域の範囲内に限定して境界位置に近いほど小さくなる彩度の前記補正量を算出すること。
補正対象となる入力映像信号の信号値に含まれる彩度の成分値が小さい場合に，前記指定色領域設定手段によって指定色領域を設定すると，前記色空間における彩度の成分が負となる領域を含む可能性がある。しかし，実際に補正される入力映像信号の彩度の成分値の下限値は０である。そこで，前記指定色領域設定手段によって設定された指定色領域の内側における彩度の成分値の下限値が０以上の領域の範囲内に限定して境界位置に近いほど小さくなる彩度の前記補正量を算出することによって，彩度の成分が負となる領域を含んで算出するよりも正確に境界位置に近いほど小さくなる彩度の前記補正量を算出することができる。
また，前記信号補正手段が，前記（４−１）に示される処理に換えて或いは前記（４−１）に示される処理と共に，次の（４−２）に示される処理をする。
（４−２）前記信号補正手段が，前記指定色領域の内側に前記入力映像信号の信号値を補正する基準となる前記色空間における原点の位置を含む際に，前記原点を表す値に所定の第２の値を加えた後に当該信号の色の輝度，彩度及び色相の各々を補正し，且つ，補正された後に当該信号を表す値から前記所定の第２の値を引くこと。
前記入力映像信号の信号値を補正する際に，補正値を算出するための基準となる前記色空間における原点を定めて，前記原点との関係において前記入力信号の信号値を変更することによって，前記入力映像信号の信号値を補正する。
補正する信号値が前記原点にある場合には，該信号値に所定の値を加えて，該信号値に彩度及び色相の成分の情報を加えることによって，前記入力映像信号の信号値を補正することができる。補正後の前記入力映像信号の信号値から所定の値を引いて，補正をするために嵩上げした情報を取り除く。
これにより，前記入力映像信号の信号値が無彩色であっても前記信号補正手段によって，前記信号値を補正することができる。また，この処理をすることによって，テレビセットのガンマを変更することなく，入力映像信号の白色の色温度を補正することもできる。
このとき，前記原点は，前記入力映像信号の信号値に含まれる彩度及び色相を表す値が０であることが考えられる。これにより，入力映像信号の信号値を補正する際に，補正値を算出するための基準となる前記色空間における原点が定めやすくなる。
なお，前記入力映像信号がｓＲＧＢ規格に準拠した映像信号であり，前記ディスプレイが，ｓＲＧＢ規格に準拠した映像信号が入力された場合に，ｓＲＧＢ規格の色再現範囲よりも広い色再現範囲を呈する広色域ディスプレイであることが考えられる。
また，前記広色域ディスプレイの典型例としては，ＬＥＤを光源とするバックライトにより照明される液晶パネルが考えられる。
【手続補正３】
【補正対象書類名】明細書
【補正対象項目名】００１２
【補正方法】変更
【補正の内容】
【００１２】
また，本発明に係る映像表示装置が，さらに次の（５）に示される構成要素を備えることも考えられる。
（５）輝度，彩度及び色相各々の境界位置に近いほど小さくなる前記補正量を輝度，彩度及び色相各々の前記基準補正係数と同じ値または所定の第１の値に設定する重み補正係数設定手段。
【手続補正４】
【補正対象書類名】明細書
【補正対象項目名】００１３
【補正方法】変更
【補正の内容】
【００１３】
輝度，彩度及び色相各々の境界位置に近いほど小さくなる前記補正量を算出するためには，多くのメモリ，ＣＰＵ，ＡＳＩＣなどのハードウェア資源を使用したり，算出に時間がかかったりする。そこで，上記（５）の重み補正係数設定手段を備えることにより，輝度，彩度及び色相各々の境界位置に近いほど小さくなる前記補正量を輝度，彩度及び色相各々の前記基準補正係数と同一または異なる所定の値を補正量に設定して，前記指定色領域内の前記入力映像信号の輝度，彩度及び色相各々に一様の補正をすることができる。そのため，輝度，彩度及び色相各々の境界位置に近いほど小さくなる前記補正量を算出するために使用するハードウェア資源を削減でき，また算出時間も削減できる。
【手続補正５】
【補正対象書類名】明細書
【補正対象項目名】００１４
【補正方法】変更
【補正の内容】
【００１４】
本発明によれば，広色域ディスプレイによってｓＲＧＢ規格に準拠した映像信号に基づく映像表示を行う場合のように，入力映像信号をそのまま用いれば色再現範囲における一部の色領域に色ズレが生じる場合に，簡易な色調整用パラメータの設定によってその色ズレを解消でき，その他の色領域については入力映像信号の内容をそのまま活かして映像表示を行うことができる。また，本発明によれば，色再現範囲全体における任意の一部の色領域の色を違和感なく好みの色へ変換したい場合にも，簡易に色調整を行うことができる。
さらに，前記信号補正手段が，前記指定色領域の内側に彩度の値が負となる領域を含む際に，前記中心位置又は前記コア部を含む彩度の値が零以上の領域の範囲内に限定して境界位置に近いほど小さくなる彩度の前記補正量を算出する場合には，彩度の成分が負となる領域を含んで算出するよりも正確に境界位置に近いほど小さくなる彩度の前記補正量を算出することができる。
また，前記信号補正手段が，前記指定色領域の内側に前記入力映像信号の信号値を補正する基準となる前記色空間における原点の位置を含む際に，前記原点を表す値に所定の第２の値を加えた後に当該信号の色の輝度，彩度及び色相の各々を補正し，且つ，補正された後に当該信号を表す値から前記所定の第２の値を引く場合には，前記入力映像信号の信号値が無彩色であっても前記信号補正手段によって，前記信号値を補正することができる。また，この処理をすることによって，テレビセットのガンマを変更することなく，入力映像信号の白色の色温度を補正することもできる。